(57)【特許請求の範囲】
【請求項１】
湾曲形状を有するレバー（２２）と、
レバー（２２）の中程に備えた回転支点（２１３）の外側に設けられた切断刃（２２２）と、
回転支点（２１３）を介して、湾曲の内側においてその端部がレバー（２２）と連結され、レバー（２２）を回動可能に支持するスイングアーム本体（２１１）とテープカッター本体（a）に連結されレバー（２２）がテープカッター本体（a）におけるテープ（３０）の仮接着面（１１２）と近づく位置と離れる位置との間でスイングアーム本体（２１１）を揺動可能に支持するばね（２１１）とを備え、
レバー（２２）の下端を押すことによりレバー（２２）の上端が上方向になるようにレバー（２２）を回動させるとともに、レバー（２２）先端の仮接着面（２２１）をテープカッター本体（a）の仮接着面（１１２）との間に近接させる動作により、レバー（２２）先端の仮接着面（２２１）とテープカッター本体（a）の仮接着面（１１２）との間のテープ（３０）の中程に生じた上方向への撓み（３１）を活用して、テープの一端に耳（３２）を形成することを特徴とする
粘着テープカッター。
【発明の詳細な説明】
【技術分野】
【０００１】
この発明はセロテープでの貼り付け及び、剥離作業を誰でも容易に対応できることを目的とするものである。
【背景技術】
【０００２】
従来の粘着テープカッターはテープの切断を目的としたものであり剥離を考慮していなかった。
【発明の概要】
【発明が解決しようとする課題】
【０００３】
これは次のような欠点があった。
（１）従来のテープカッターで切断したテープで対象物を貼り付け後に開封等でのテープの剥離が難しい。
（２）従来のテープカッターでは粘着面に指が接触するために手袋等を着用してのセロテープの貼り付け作業ができない。
(３)従来のテープカッターでは粘着面に指が接触するためにテープに指紋の付着跡が見える。
本発明は、以上のような欠点を解消するためになされたものである。
【課題を解決するための手段】
【０００４】
本願粘着テープの一端に耳を形成することでテープの貼り付け及び貼り付け後の剥離が誰でも容易に可能となる。
【０００５】
レバー（２2）の中ほどに回転支点（２１３）を備え回動可能となるようにスイングアーム本体（２１１）と連結することを特徴とするテープカッター。
【０００６】
レバー（２２）を持続して押す動作で仮接着面(２２１)と（１１２）に橋渡し状の粘着面を下側にしたテープ(３０)を仮接着面(２２１)による幅寄せに伴う回転支点（２１３）を介して回動する上方向への傾斜角度の変化に連動した迫り上げ動作によりテープ(３０）の中程に上方向への撓みが生じ始め更に幅寄せの持続でレバー先端前面（２２３）がストッパー部（１１１）に接触した時点でテープ(３０)は粘着面を内側にしたループ状の耳を形成する機構を備えることを特徴とするテープカッター。
【０００７】
（１）対象物の接着及び剥離作業のさいにテープの一端に耳を備えることで作業効率を改善する。
２）耳の形成によりテープの貼り付け作業中に粘着面に接触しないので手袋を着用しての作業が可能となる。
（３）テープに指紋が付着しないので奇麗な貼り付けが可能となる。
（４）従来からのテープカッターと同様となる粘着面を摘まむ仕様方法は図２の時点でセロテープ（30）引き出すことで可能となる。
（５）テープの幅広用機種を使用することで幅の狭い数種類のテープのセット兼用が可能となる。
（６）本願テープカッターは構造、操作が簡単ゆえに構成する部品点数も少なく、消耗部品も無く、堅牢、安価であり使用による経年劣化での故障に繋がるリスクもほとんど発生しない。
【図面の簡単な説明】
【０００８】
【図１】（a）粘着テープカッターの全体構成（b）耳形成部
【図２】使用状態（待機状態）
【図３】使用状態（レバー（２２）を押し始め耳形成途中状態。
【図４】使用状態（ループ状の耳を形成した状態）
【図５】使用状態（耳を摘まんで引き出している状態。
【図６】使用状態（テープを切断した状態）
【発明を実施するための形態】
【０００９】
以下、本発明を実施するための形態について説明する。
本発明は仮接着面(２２１)と（１１２）に橋渡し状に粘着面を下側にして仮接着した直線状のテープ(３０)の中程を上方向に撓ましてループ状の耳として形成する。
本体湾曲部（１１３）に耳形成部（図1-b）を組み込み、耳形成部は一体化した断面が湾曲形状のレバー（２２）、レバー回転支点（２１３）、仮接着面（２２１）、レバー先端前面（２２３）、レバー回転支点（２１３）の上側に切断刃（２２２）を備えレバー回転支点（２１３）を介して回動するように連結したスイングアーム本体（２１１）より延伸したスイングアームばね部（２１２)の基端であるスイングアーム支点(２１４)を湾曲部（１１３）の底辺に弾性可能となるように取り付けたことを特徴とする粘着テープカッター。
レバー(２２)を持続して押す動作で回転支点（２１３）を介して回動する仮接着面（２２１）でのテープ(３０)への幅寄せに連動した迫り上げ動作に伴い仮接着面（２２１）の傾斜角度が上方向に変化しテープ(３０)の中程は確実に上方向への撓みが生じ始め更に幅寄せ動作を持続することでレバー先端前面（２２３）がストッパー部（１１１）に接触した時点でテープ(３０)は粘着面を内側にしたループ状の耳を形成する機構を備えることを特徴とするテープカッター。
本発明は、以上のような構造である。
レバー(２２)の中程に回転支点（２１３）を備えていることで幅寄せによるテープ(３０)中程への撓み方向が確実に上方向に発生するゆえに必要とする耳形成の商品化は可能となる。
回転支点（２１３）を備えていなければテープ(３０)への上方向への撓みの発生が漫然と上下に発生し耳形成の商品化は不可となる。
（動作説明）
【００１０】
（１）レバー(２２)の中程に回転支点（２１３）を備える。
（２）図２、レバー(２２)を押す動作でテープ(３０)への耳形成への待機状態。
（３）図３、レバー(２２)を持続して押す動作で回転支点（２１３）を介して回動する仮接着面（２２１）でのテープ(３０)への幅寄せに伴うに迫り上げ動作に連動して上方向への徐々なる傾斜角度の変化に伴いテープ(３０)の中程に確実に上方向への撓みが生じ始める。
（４）図４、更にレバー(２２)を押す動作の持続でレバー先端前面（ 図３-２２３）がストッパー部（図３-１１１）に接触した時点でテープ(３０)は接着面を内側にしたループ状の耳（図４−３２）を形成する。
（５）図５、テープの耳（３２）を必要とする長さまで摘まみながら引き出すことでテープは仮接着面（２２１）及び仮接着面（１１２）より剥離し、スイングアーム本体（２１１）はスイングアーム支点（２１４）を弾性としてスイングアームバネ部（２１２）の作用でスイングアーム支持部（１２）に接触し元の待機状態に戻る。
（６）図６、引き出したテープを切断刃図６（２２２）に当て手前下に引き下ろすことでテープは切断され一連の耳形成工程作業は完了する。
（７）テープの切断時点でテープは仮接着面（１１２）及び仮接着面（２２１）に仮接着して次回のテープに耳を形成する手順の準備は完了する。
本発明は、以上のような構造のテープカッターである。
【符号の説明】
【００１１】
a                   テープカッター本体
１１                テープ収納部
１１１          ストッパ−部
１１２         仮接着面（本体側）
１１３         前方湾曲部
１２        スイングアーム支持部
b                  耳形成部
２１１         スイングアーム本体
２１２         スイングアームバネ部
２１４         スイングアーム支点
２２                レバー
２１３         レバー回転支点
２２１          仮接着面（耳形成レバー先端上側）
２２２         切断刃
２２３         レバー先端前面
３                 テープ
３０          テープ待機時      
３１          テープ耳形成過程
３２          テープ耳形成完了
【要約】
【課題】
従来のテープカッターを使用して対象物を貼り付けたのちの粘着テープの剥離は難しかったので誰でも容易に剥離及び接着を可能とするテープカッターを提供する。
【解決手段】
レバー（２２）の中ほどに備えた回転支点（２１３）を介して回動可能となるようにスイングアーム本体（２１１）と連結していることを特徴とする粘着テープカッター。
【選択図】 図４【図１】
0006666614.tif 000002
【図２】
0006666614.tif 000003
【図３】
0006666614.tif 000004
【図４】
0006666614.tif 000005
【図５】
0006666614.tif 000006
【図６】
0006666614.tif 000007